(57)【要約】【課題】  筆記具のノックを押す毎に、表示窓に記載された情報を順次に表示する表示器付きノック回転式筆記具を提供する。【解決手段】  従来のノック回転式の筆記具軸筒の中間部に凸レンズ付きの表示窓を設け、ラチェット機構の爪部品に外層透明な中空円筒形軸を設け、前記軸の中空層に表示用紙片やフィルムを挿入し、ラチェット機構の歯形部品の歯の形状は、従来の二等辺三角形からラッチェット機構を機能する辺を延長し、非対称の不等辺三角形になり、従来の軸筒の裏面に形成されたラッチェット機構を機能する深い溝の出入口と前記の爪を引き留める機能をする傾斜面の成す角の箇所に前記の爪を引き留める程度の欠け口を設けることを特徴とする表示器付きノック回転式筆記具。【選択図】図１
2009126173.tif 000002
【特許請求の範囲】
【請求項１】
従来のノック回転式の筆記具軸筒の中間部に凸レンズ付きの表示窓を設け、ラチェット機構の爪部品に外層透明な中空円筒形軸を設け、前記軸の中空層に表示用紙片やフィルムを挿入し、ラチェット機構の歯形部品の歯の形状は、従来の二等辺三角形からラッチェット機構を機能する辺を延長し、非対称の不等辺三角形になり、従来軸筒の裏面に形成されたラッチェット機構を機能する深い溝の出入口と前記の爪を引き留める機能をする傾斜面の成す角の箇所に前記の爪を引き留める程度の欠け口を設けたことを特徴とする表示器付きノック回転式筆記具。
【発明の詳細な説明】
【技術分野】
【０００１】  本発明は、ノック回転式の筆記具に表示器を付けた表示器付きノック回転式筆記具に関するものである。
【背景技術】
【０００２】  筆記具に回転式表示器を付けた筆記具があった（特許文献１参照）。また、透明な筆記具軸筒に文字記号や絵柄を記載された部材を挿入し、文字記号や絵柄を表示する考案もあった（特許文献２参照）。
【特許文献１】特開平８−７２４８２号公報
【特許文献２】実用新案登録第３０８６５６８号公報
【発明の開示】
【発明が解決しようとする課題】
【０００３】  しかし、次のような問題点があった。
（イ）事前に印刷（刻印）された内容しか表示できず、自由な表現ができなかったばかりでなく、片手での表示変更操作は困難だった場合があった。
（ロ）記載部材に記載された全ての内容が周囲に開示されるため、情報漏洩の欠点があった。
本発明は、上記の問題点を解決するためのものである。
【課題を解決するための手段】
【０００４】  本発明は、次のように構成される。
従来のノック回転式の筆記具軸筒の中間部に凸レンズ付きの表示窓を設け、ラチェット機構の爪部品に外層透明な中空円筒形軸を設け、前記軸の中空層に表示用紙片やフィルムを挿入し、ラチェット機構の歯形部品の歯の形状は、従来の二等辺三角形からラッチェット機構を機能する辺を延長し、非対称の不等辺三角形になり、従来軸筒の裏面に形成されたラッチェット機構を機能する深い溝の出入口と前記の爪を引き留める機能をする傾斜面の成す角の箇所に前記の爪を引き留める程度の欠け口を設けたことを特徴とする表示器付きノック回転式筆記具である。
本発明を実際に組み立てて使用する場合、ノック回転式の筆記具軸筒の中間部に凸レンズ付きの表示窓を設け、ノック回転式筆記具の芯（ペン先）を送出したり、引き込まれたりするラチェット機構の爪部品に外層透明な中空円筒形軸を設け、前記軸の中空層に、文字記号や絵柄を記載した紙片やフィルムを挿入する。前記の紙片やフィルムが外層透明な中空円筒形軸の中空層に挿入する時に、前記軸の円周上に特定位置に挿入するために、中空層の特定位置に一本突起筋を設ける。ラチェット機構の歯形部品の歯の形状は、従来二等辺三角形からラチェット機構を機能する片辺を延長し、２つ底角の非対称の不等辺三角形になる。筆記具の芯（ペン先）が引き込まれた状態での表示情報を筆記できるために、従来軸筒裏面に形成された前記のラチェット機構を機能する深い溝の出入り口と前記の爪を引き留める機能をする傾斜面の成す角の箇所に前記の爪を引き留める程度の欠け口を設けたことを特徴とする表示器付きノック回転式筆記具である。
【発明の効果】
【０００５】  筆記具のノックを押す毎の一直線運動から、爪部品の回転運動に変換し、爪部品に付けた外層透明な中空円筒形軸の中空層に挿入した文字記号や絵柄を記載した紙片やフィルムが爪部品と同調して一定な角度で回転する。紙片やフィルムに記載された文字記号や絵柄は軸筒中間部に設けた凸レンズ付きの表示窓より観察することができる。片手で筆記具のノックを押す毎に、紙片やフィルムに記載された文字記号や絵柄を順次表示することが出来る。紙片やフィルムに記載された文字記号や絵柄などの表示情報を筆記具の芯（ペン先）が引き込まれた状態でも、ノックを半押し、筆記具の芯（ペン先）が送出されたら自動的にロックされるため、前記の表示情報を筆記することができる。且つ観察者の目と凸レンズ付きの表示窓との成す角度がほぼ直角しか鮮明に観察できないため、情報漏洩の抑制効果もある。
【発明を実施するための最良の形態】
【０００６】  以下、本発明の実施の形態について説明する。
（イ）ノック回転式の筆記具軸筒（１）に表示窓（２）を設け、表示窓に凸レンズ（３）を装着する。
（ロ）ノック回転式筆記具の芯（ペン先）（１２）を送出したり、引き込まれたりするラチェット機構の爪部品（４）に外層透明な中空円筒形軸（５）を設け、外層透明な中空円筒形軸（５）の中空層に、文字記号や絵柄を記載された紙片やフィルム（６）を挿入する。また、前記（５）の円周上の特定位置に（６）を挿入するために、（５）の中空層に位置定め用の一本突起筋（７）を設ける。
（ハ）ノック回転式筆記具の芯（ペン先）（１２）を送出したり、引き込まれたりラチェット機構の歯形部品の歯の形状は、従来の二等辺三角形（８）からラチェット機構を機能する片辺を延長し、２つ底角非対称の不等辺三角形になる（９）。
（ニ）筆記具の芯（ペン先）（１２）が引き込まれた状態での表示情報を筆記できるために、従来軸筒裏面に形成されたラチェット機構を機能する深い溝の出入り口と前記の爪を引き留める機能をする傾斜面の成す角の箇所に前記の爪を引き留める程度の欠け口（１０）を設ける。
本発明は以上のような構成で、これを使用する時は、片手で筆記具の軸筒（１）を持ち、同片手の指で筆記具のノック（１１）を押す毎に、ノック（１１）の一直線運動から爪部品（４）の回転運動に変換し、爪部品（４）に設けた外層透明な中空円筒形軸（５）の中空層に挿入した文字記号や絵柄を記載した紙片やフィルム（６）が爪部品（４）と同調して一定な角度で回転する。また、外層透明な中空円筒形軸（５）の透明な外層円筒軸の長さが内層円筒軸より短いため、前記の紙片やフィルム（６）は、容易に交換することができる。
紙片やフィルム（６）に記載された文字記号や絵柄は軸筒（１）に凸レンズ（３）付きの表示窓（２）より観察することができる。
片手で筆記具のノック（１１）を押す毎に、紙片やフィルム（６）に記載された文字記号や絵柄を一定な角度を回転し、順次表示することが出来る。且つ観察者の目と凸レンズ（３）付きの表示窓（２）との成す角度がほぼ直角しか鮮明に観察できないため、情報漏洩の抑制効果もある。
【図面の簡単な説明】
【０００７】
【図１】本発明のアセンブリ部分の一部縦断面図
【図２】（ａ）は、従来のラチェット機構の爪部品の側面図で、（ｂ）は、本発明の外層透明な中空円筒型軸を設けた爪部品の縦断面図で、（ｃ）は、ｃ−ｃ’断面図。
【図３】（ａ）は、従来のラチェット機構の歯形部品の側面図、（ｂ）は、本発明の歯形部品の一部縦断面図。
【図４】（ａ）は、従来のラチェット機構の軸筒部品の縦断面図、（ｂ）は、本発明の軸筒部品の縦断面図。
【符号の説明】
【０００８】    １  ノック回転式の筆記具軸筒
２  表示窓
３  凸レンズ
４  ラチェット機構の爪部品
５  外層透明な中空円筒形軸
６  紙片やフィルム
７  挿入位置定め突起筋
８  従来のラチェット機構の歯形部品及びその歯の形状
９  本発明の歯形部品及びその歯の形状
１０  欠け口
１１  筆記具のノック
１２  筆記具の芯（ペン先）
【図１】
2009126173.tif 000003
【図２】
2009126173.tif 000004
【図３】
2009126173.tif 000005
【図４】
2009126173.tif 000006